(57)【要約】  それぞれ独立に動くことのできる座部（４）と背部（３）とを有する台（２）が取り付けられ、該台（２）を昇降させる基盤（１）を有する検査及び処置台。軸支回動中心ピン（12）によって前記台（２）の片側のみが前記基盤（１）に取り付けられ、前記座部（４）と前記背部（３）とは、それぞれ前記軸支回動中心ピン（12）に接続されている支持枠（29、30）を有し、該支持枠は、前記背部及び座部（３、４）の軸支回動中心ピン（12）が設けられている側と同じ側で、背部及び座部に少なくとも部分的に沿って延在する。【選択図】          図１
2008532688.tif 000002
【特許請求の範囲】
【請求項１】
それぞれ独立に動くことのできる座部（４）と背部（３）とを有する台（２）が取り付けられ、該台（２）を昇降させる基盤（１）を有する検査及び処置台において、軸支回動中心ピン（12）によって前記台（２）の片側のみが前記基盤（１）に取り付けられ、前記座部（４）と前記背部（３）とは、それぞれ前記軸支回動中心ピン（12）に接続されている支持枠（29、30）を有し、該支持枠は、前記背部及び座部（３、４）の軸支回動中心ピン（12）が設けられている側と同じ側で、背部及び座部に少なくとも部分的に沿って延在することを特徴とする検査及び処置台。
【請求項２】
前記座部（４）と前記背部（３）とは、相互の角位置関係を保ったまま共に動くことができることを特徴とする、請求項１に記載の検査及び処置台。
【請求項３】
前記基盤（１）が、その第一端部が床枠（５）に取り付けられている第一の平行四辺形連結システムと、その第一端部が前記第一の平行四辺形連結システムの第二端部に取り付けられていると共にその第二端部が前記軸支回動中心ピン（12）に取り付けられている第二の平行四辺形連結システムとを有し、これらによって前記台（２）を実質的に垂直に昇降させることができることを特徴とする、請求項１又は２に記載の検査及び処置台。
【請求項４】
前記座部（４）が、該座部（４）に取り付けられている旋回肘材（33）と前記背部（３）に取り付けられているモータ肘材（34）との間に配設されている座部モータ（23）によって動かされ、前記背部（３）が、前記背部（３）に取り付けられている前記モータ肘材（34）と前記第二の平行四辺形連結システムの前記第二端部との間に配設されている背部モータ（24）によって動かされ、これによって、少なくとも背部（３）を垂直位置に動かすことができ、好ましくは座部（４）も垂直位置に動かすことができることを特徴とする、請求項１、２又は３に記載の検査及び処置台。
【請求項５】
前記座部モータ及び背部モータ（23、24）が、前記各モータ（23、24）を停止及び駆動するためのスイッチ制御部によって制御されることを特徴とする、請求項４に記載の検査及び処置台。
【請求項６】
前記スイッチ制御部が、前記座部モータ（23）と前記背部モータ（24）とを一緒に動かして、必要な場合は座部と背部とがなす角度を維持した状態で座部（４）と背部（３）とを連結して動かすことを特徴とする、請求項５に記載の検査及び処置台。
【請求項７】
前記台（２）を前記床枠（５）の第一の側又はその反対側で支持するために、前記第一の平行四辺形連結システムの前記第一端部が前記床枠（５）の前記第一の側に取り付けられており、前記第一の側の反対側で台（２）を支持するときには前記床枠を180度回転することを特徴とする、請求項３〜６のいずれか一項に記載の検査及び処置台。
【発明の詳細な説明】
【技術分野】
【０００１】
本発明は、そこに取り付けられている台を上昇及び下降させる基盤を有する検査及び処置台に関し、該台は、それぞれ独立に動くことのできる座部と背部とを有している。この検査台は、例えば、排尿力学的又は泌尿器科学的検査、また、所定の処置にも使用することができるが、これらの用途には限定されない。
【背景技術】
【０００２】
数多くの検査及び処置台が以前から知られており、これらは、それぞれ独立に動かすことのできる座部と背部とに分割され、また、検査台は上昇させることができる。例えば、WO 96/22758を参照されたい。これら公知の検査台に係る主要な問題は、患者のＸ線写真を撮影するときに、座部及び背部を支持するそれぞれの枠と、検査台を上昇及び下降させると共に支持する基盤からの影が必ず入ってしまうことである。
【０００３】
公知の検査台に係るもう１つの問題は、昇降の際に、このような検査台が、曲線に沿って、多くの場合、基盤の昇降アームを半径とする弧に沿って動くことである。このような機構故に、全位置において適正に機能するために、検査台はその周囲により多くの空間を必要とすることになる。
【０００４】
更なる問題は、検査台又は少なくとも背部をほぼ垂直に位置させることができるか否かである。公知の検査台では、垂直位置より15度離れた位置までしか、検査台を動かすことができなかった。
【０００５】
【特許文献１】WO 96/22758
【発明の開示】
【発明が解決しようとする課題】
【０００６】
本発明の目的は、前記問題を解消することである。
【課題を解決するための手段】
【０００７】
本発明の第一の面によると、検査及び処置台は、軸支回動中心ピンによって該検査及び処置台の片側のみを昇降基盤に取り付けることによって提供される。前記座部と背部とは、それぞれ前記軸支回動中心ピンに接続されている支持枠を有し、該支持枠は、前記背部及び座部の軸支回動中心ピンが設けられている側と同じ側で、背部及び座部に少なくとも部分的に沿って延在する。
【０００８】
これによると、Ｘ線撮影の障害となる支持枠は検査台の片側のみにあり、また、軸支回動中心ピンも検査台の同じ側にあるので、支持枠や検査台の下方にある基盤の部品等に起因する影を生じることなく、検査台を完全にＸ線に曝すことができる。通常、Ｃアーム型Ｘ線装置が用いられるが、この装置は本発明の検査台に関して容易にセットすることができ、所望の全位置において使用することができる。
【０００９】
本発明の第二の面によると、実質的に垂直に昇降させることができて昇降のための周囲の空間が少なくて済む、検査及び処置台が提供される。このような検査及び処置台は２つの平行四辺形の連結システムを有する基盤によって達成される。第一の平行四辺形連結システムは、その第一端部が床枠に取り付けられており、その第二端部が第二の平行四辺形連結システムの第一端部に取り付けられている。第二の平行四辺形連結システムはその第一端部が前記第一の平行四辺形連結システムに取り付けられており、その第二端部が前記軸支回動中心ピンを介して検査・処置台に取り付けられている。この発明のもう１つの効果は、以前よりも台を高い位置に配置することができることである。
【００１０】
本発明の第三の面によると、座部及び背部の前記軸支回動中心ピンを中心とした回転を制御する座部モータ及び背部モータによって、台又は少なくとも背部が垂直な位置に動くようになっている。
【００１１】
本発明の第四の面によると、前記基盤を床枠の左側又は床枠の右側に取り付けることによって、左側が支持された台又は右側が支持された台とすることができ、床枠を180度回転することができる。
【００１２】
本発明の第五の面によると、座部と背部とは、相互の角位置関係を保ったまま共に動くことができる。これは、好ましくは、座部と背部とが同時に動くように、座部のモータと背部のモータとを平行して動かすことにより、即ち、連動させることによって達成される。これら２つのモータは、適切に接続されたリレーを有する制御スイッチによって制御されるのが好ましい。
【好ましい態様の記載】
【００１３】
添付の図面を参照しながら、本発明をより詳細に記述する。
【００１４】
図１及び２は、本発明の好ましい態様の検査及び処置台を示しており、該検査・処置台は、その基本的な設計において、容易に動かすことができると好適である基盤１を有しており、該基盤は検査台２を形成する背部３と座部４とを有している。この態様の検査及び処置台は、さらに、通常のアームサポート、レッグサポート、フットサポート、及び他の付属品を有していてもよい。
【００１５】
基盤１は床枠５を有し、該床枠は、その第一端部７で床枠に軸支回動可能に接続されると共にその第二端部８が上方アーム10の第一端部９に軸支回動可能に接続される下方アーム６を担っている。前記上方アーム10の第二端部11は、台２に取り付けられている軸支回動中心ピン12に軸支回動可能に接続されている。したがって、背部３及び座部４を有する台２を、軸支回動可能に支持されたアーム６，10の動きによって昇降させることができる。図示されている態様においては、中央部分16が下方アーム６と上方アーム10との間に配置されている。
【００１６】
シリンダ14と延伸可能な棒15とを有する、例えば、変位型の上昇及び下降モータ13は床枠５に配置されており、前記延伸可能な棒15の外に出ている端部は上方アーム10に接続されており、延伸可能な棒15を押し出す、又は収縮させて台２を昇降させる。
【００１７】
台２の昇降を実質的に垂直な動きに制御するために、基盤１は連結システムも有している。第一の平行四辺形連結システムは、該第一の平行四辺形連結システムの第一端部において、下方肘材19を介して床枠５に軸支回動可能に接続されている。第一の平行四辺形連結システムの第二端部は、第二の平行四辺形連結システムの第一端部に接続されている。第二の平行四辺形連結システムの第二端部は台２に軸支回動可能に接続されている。
【００１８】
より詳細には、第一の平行四辺形連結システムは、前記下方肘材19を介してその第一端部で床枠５に接続される、下方棒17と上方棒18とを有している。該下方棒17の第二端部は中央肘材20に軸支回動可能に接続されている。上方棒18の第二端部もまた軸支回動可能に前記中央肘材20に接続されているが、下方棒の第二端部とは接続位置が異なっている。上方棒は、中央肘材に接続される位置に定まる軸支回動軸と同じ軸支回動軸において、前記上方アーム10の第一端部９にも軸支回動可能に接続されている。
【００１９】
第二の平行四辺形連結システムは、下方棒21と上方アーム10とを有しており、両方ともその第一端部が前記中央肘材20に軸支回動可能に接続されている。上方アーム10の第二端部は、軸支回動中心ピン21で台２に軸支回動可能に直接的に接続されている。前記下方棒21の第二端部は上方肘材22に軸支回動可能に接続されている。該上方肘材は、前記軸支回動中心ピン12に固定されている。
【００２０】
軸支回動中心ピン12は、台２の片側であって座部４と背部３との区切部に配されている。背部３は枠29，座部４は枠30を有しており、それぞれ各部３，４の一方の側に少なくとも部分的に沿って延在している。枠29, 30は前記軸支回動中心ピン12と同じ側に配置されており、該ピンに軸支回動可能に接続されている。座部４と背部３とは、例えば、炭素繊維積層板で作ることができ、患者にとって快適になるようにその最上部にクッション材を備えていてもよい。
【００２１】
所望であれば、軸支回動中心ピン12の反対側の、座部４と背部３との間に蝶番31を設け、台２をさらに安定化することができる。座部４の背部と接続されていない方の端部の両側部には、フットレスト固定用の肘材32がそれぞれ設けられていてもよい。これらの肘材32及び蝶番31はＸ線撮影に際して影を作る可能性があるが、患者の身体の重要な部分に影がかかることはない。
【００２２】
座部４と背部３とは、水平面に関してその傾斜を調節するために、独立して回動することができる。単純化すれば、背部３と座部４とは、ある位置においては水平な台を形成し、別の位置においては椅子を形成すると記述することができる。背部３と座部４との間の角度は無制限に変化させることができ、背部３と座部４との位置の調節は、例えば基盤モータ13と同じ型の座部モータ23及び背部モータ24によって制御される。座部モータ23はシリンダ25と延伸可能な棒26とを有し、背部モータ24はシリンダ27と延伸可能な棒28とを有している。
【００２３】
座部４は、座部の枠30から下側後方に延びる旋回肘材33を備えている。軸支回動中心ピン12を中心として座部４を回転させるために、旋回肘材33の座部の枠に接続されていない方の端部には、座部モータ23の延伸可能な棒26の外に出ている端部が軸支回動可能に接続されている。座部モータ23は、背部枠29、即ち背部３の側部に配置されているモータ肘材4に接続されている。
【００２４】
背部モータ24も、また、モータ肘材34に接続されている。背部モータ24の延伸可能な棒28の外に出ている端部は、第二の平行四辺形連結システムの上方肘材22に軸支回動可能に接続されており、該上方肘材は軸支回動中心ピン12に固定されている。こうして、延伸可能な棒28を延伸したり収縮させたりすることによって、軸支回動中心ピン12を中心として背部３を回動させる。
【００２５】
背部３は、水平位置を超えて更に後ろ側に、いわゆるショック体位又はトレンデレンブルク体位用の位置へと回動させることもでき、この位置では、仰向けの患者はその頭部が体部より低い位置にある。
【００２６】
本発明の検査台は、背部３と座部４とがそれらの間の角度を維持した状態で連結して動くことができるように設計されている。このことは、座部モータ23と背部モータ24とを同時に、即ち平行に運転させることによってなされる。
【００２７】
背部３及び座部４並びに対応するモータ24、23の機能性と位置とを明確にするために、図３〜５は、検査台の異なる３つの位置、即ち、水平、背部水平座部直立、及び座部水平背部直立の位置において、座部モータ23, 25, 26がどのように接続されて配置されているかをそれぞれ示している。
【００２８】
図６〜９は、検査台の異なる４つの位置、即ち、水平、背部水平座部直立、座部水平背部直立、及び座部を上にしたトレンデレンブルク体位用の位置において、背部モータ24, 27, 28がどのように接続されて配置されているかをそれぞれ示している。
【００２９】
最後に、図10〜12は、台の異なる３つの位置、即ち、平トレンデレンブルク体位用の位置、座部を上にしたトレンデレンブルク体位用の位置、及び垂直位置において、座部モータ23, 25, 26と背部モータ24, 27, 28とがどのように接続され、配置されているかをそれぞれ示している。
【００３０】
図13は、スリーブ36で軸支回動中心ピン12に固定的に接続された上方肘材22を示している。耳状体37が背部モータ24の延伸可能な棒28に取り付けられている。上方肘材の接続されていない方の端部38は、上方にある第二の平行四辺形連結システムの下方棒21に取り付けられている。
【００３１】
スイッチ制御部35は、少なくとも座部モータ23及び背部モータ24を制御し、好ましくは図14の態様に示されているように、基盤モータ13も制御する。スイッチ制御部は、別々のモータ13, 23, 及び24を制御するために所望の方法で連結された複数のリレーを有している。
【００３２】
本発明の機能によると、座部４と背部３との相互位置を固定し、相互の角位置関係を保持した状態で座部と背部とを一緒に軸支回動中心ピン12を中心として回動することができる。これは、スイッチ制御部の７番目と８番目のボタンを用いて行うことができる。
【００３３】
比較的小さい部屋では、本発明の検査及び処置台を全ての位置に動かすのは必ずしも可能ではないかもしれず、検査台の左側に支持及び位置調節のための機構を集める態様と右側にそのような機能を集める態様のいずれかを選択することができると有用である場合がある。この問題を解決する簡単な方法は、鏡像関係にあるような複数の態様を作る代わりに、検査台の他の部分に関する床枠５の回転が可能であるようにすることである。図15を参照されたい。
【００３４】
このようにすると、基盤１は床枠５のいずれの側にも取り付けることができ、台を床枠５の上に配置できない場合は180度回転させることもできる。基盤１を、床枠５上に配置されたスライド（図示せず）に取り付けて、基盤１が一方の側からもう一方の側に容易に動くようにすることも可能である。
【図面の簡単な説明】
【００３５】
【図１】軸支回動中心ピンを有する側から見た、本発明の検査及び処置台の好ましい態様を示している。
【図２】図１に示されている検査及び処置台の反対側を示す図である。
【図３】水平位置にある台が座部モータと共に示されている。
【図４】座部が上に向くと共に背部が水平位置にある台が、座部モータと共に示されている。
【図５】椅子状の位置にある台が座部モータと共に示されている。
【図６】水平位置にある台が背部モータと共に示されている。
【図７】座部が上に向くと共に背部が水平位置にある台が、背部モータと共に示されている。
【図８】椅子状の位置にある台が背部モータと共に示されている。
【図９】トレンデレンブルク位にある椅子としての台が背部モータと共に示されている。
【図１０】平トレンデレンブルク位にある台が座部及び背部モータと共に示されている。
【図１１】トレンデレンブルク位にある椅子としての台が座部及び背部モータと共に示されている。
【図１２】平垂直に位置にある台が座部及び背部モータと共に示されている。
【図１３】軸支回動中心ピンに配された上方肘材を示している。
【図１】
2008532688.tif 000003
【図２】
2008532688.tif 000004
【図３】
2008532688.tif 000005
【図４】
2008532688.tif 000006
【図５】
2008532688.tif 000007
【図６】
2008532688.tif 000008
【図７】
2008532688.tif 000009
【図８】
2008532688.tif 000010
【図９】
2008532688.tif 000011
【図１０】
2008532688.tif 000012
【図１１】
2008532688.tif 000013
【図１２】
2008532688.tif 000014
【図１３】
2008532688.tif 000015
【図１４】
2008532688.tif 000016
【図１５】
2008532688.tif 000017
【国際調査報告】
2008532688.tif 000018
2008532688.tif 000019
2008532688.tif 000020